(57)【要約】【課題】  電話機能を有する他の装置の状況に応じて再生制御を行うことのできる再生装置を提供する。【解決手段】  再生装置２は、例えばＢｌｕｅｔｏｏｔｈのＨＦＰにより、携帯電話機能状態を取得する（Ｓ３０２又はＳ３０３）。電話機能状態が変化すると（Ｓ３０４のＹｅｓ）、自機器の状態も合わせて取得し（Ｓ３０５）、電話機能状態に合わせた再生処理を行う（Ｓ３０６、Ｓ３１０）。例えば、携帯電話機３の通話開始による音楽データや映像データの再生の一時停止、携帯電話３での着呼に合わせたテレビジョン放送データの録画開始等の処理を実行する。【選択図】      図４
2008092210.tif 000002
【特許請求の範囲】
【請求項１】
電話機能を有する第１の無線通信装置と無線通信する再生装置であって、
ＡＶ（Ａｕｄｉｏ／Ｖｉｓｕａｌ）データを記憶する記憶部と、
前記記憶部が記憶するＡＶデータを再生する再生部と、
前記第１の無線通信装置と無線通信し、前記第１の無線通信装置から電話機能に関する
電話機能状態を取得する無線通信部と、
前記無線通信部で前記第１の無線通信装置の電話機能状態の変化を検出した場合に、前
記再生部による再生状態を変化させる制御部と
を備えることを特徴とする再生装置。
【請求項２】
前記無線通信部が前記第１の無線通信装置から取得する電話機能状態は、着呼、発呼、
通話開始、通話中、保留、通話終了のうち少なくとも１つであること
を特徴とする請求項１記載の再生装置。
【請求項３】
前記無線通信部は、前記第１の無線通信装置とＢｌｕｅｔｏｏｔｈ（登録商標、以下同様）により通信し、ＨＦＰ（Ｈａｎｄｓ−Ｆｒｅｅ  Ｐｒｏｆｉｌｅ）において制御コマンドを送信するサービスレベルコネクションによる接続を前記第１の無線通信装置との間で行うと共に、通話音声データを通信するオーディオコネクションによる接続を前記第１の無線通信装置との間で行わないことを特徴とする請求項１記載の再生装置。
【請求項４】
前記制御部は、前記無線通信部で前記第１の無線通信装置の電話機能状態の変化を検出
した場合に、前記再生部に再生の開始、停止、一時停止のうち少なくとも１つの状態に再
生状態を変化させること
を特徴とする請求項１記載の再生装置。
【請求項５】
前記無線通信部は前記第１の無線通信装置とは異なる第２の無線通信装置とも無線通信
し、前記第２の無線通信装置にＡＶデータを伝送すること
を特徴とする請求項１記載の再生装置。
【請求項６】
前記無線通信部は、前記第１の無線通信装置から受信した電話機能状態を前記第２の無
線通信装置に通知すること
を特徴とする請求項５記載の再生装置。
【請求項７】
前記無線通信部は、前記第１の無線通信装置から受信した通話音声データを前記第２の
無線通信装置に送信すると共に、前記第２の無線通信装置から受信した通話音声データを
前記第１の無線通信装置に送信すること
を特徴とする請求項５記載の再生装置。
【請求項８】
前記無線通信部は、前記第１の無線通信装置から着呼の電話機能状態の変化を受信した
際に、前記第２の無線通信装置との間の無線接続を切断すると共に、前記第１の無線通信
装置及び前記第２の無線通信装置間に無線接続を行わせる制御コマンドを送信すること
を特徴とする請求項５記載の再生装置。
【請求項９】
電話機能を有する第１の無線通信装置と無線通信する再生装置であって、
放送波を受信するチューナ部と、
前記チューナ部で放送波を受信して得られるＡＶデータを再生する再生部と、
前記チューナ部で放送波を受信して得られるＡＶデータを記憶媒体に記録する録画部と
、
前記第１の無線通信装置と無線通信し、前記第１の無線通信装置から電話機能に関する
電話機能状態を取得する無線通信部と、
前記無線通信部で前記第１の無線通信装置の電話機能状態の変化を検出した場合に、前
記再生部に再生を停止させると共に、前記録画部に記録を開始させる制御部と
を特徴とする再生装置。
【請求項１０】
前記無線通信部が前記第１の無線通信装置から取得する電話機能状態は、着呼、発呼、
通話開始、通話中、保留、通話終了のうち少なくとも１つであること
を特徴とする請求項９記載の再生装置。
【請求項１１】
前記無線通信部は、前記第１の無線通信装置とＢｌｕｅｔｏｏｔｈにより通信し、ＨＦ
Ｐ（Ｈａｎｄｓ−Ｆｒｅｅ  Ｐｒｏｆｉｌｅ）において制御コマンドを送信するサービス
レベルコネクションによる接続を前記第１の無線通信装置との間で行うと共に、前記音声
データで通信するオーディオコネクションによる接続を前記第１の無線通信装置との間で
行わないこと
を特徴とする請求項９記載の再生装置。
【請求項１２】
前記無線通信部は前記第１の無線通信装置とは異なる第２の無線通信装置とも無線通信
し、前記第２の無線通信装置にＡＶデータを伝送すること
を特徴とする請求項９記載の再生装置。
【請求項１３】
前記無線通信部は、前記第１の無線通信装置から受信した電話機能状態を前記第２の無
線通信装置に通知すること
を特徴とする請求項１２記載の再生装置。
【請求項１４】
前記無線通信部は、前記第１の無線通信装置から受信した通話音声データを前記第２の
無線通信装置に送信すると共に、前記第２の無線通信装置から受信した通話音声データを
前記第１の無線通信装置に送信すること
を特徴とする請求項１２記載の再生装置。
【請求項１５】
前記無線通信部は、前記第１の無線通信装置から着呼の電話機能状態の変化を受信した
際に、前記第２の無線通信装置との間の無線接続を切断すると共に、前記第１の無線通信
装置及び前記第２の無線通信装置間に無線接続を行わせる制御コマンドを送信すること
を特徴とする請求項１２記載の再生装置。
【発明の詳細な説明】
【技術分野】
【０００１】
本発明は、他の無線通信装置と無線通信する再生装置に関する。
【背景技術】
【０００２】
近年、携帯電話機等の電話機能を持つ装置が広く普及している。これらの中には、放送
波を受信して再生したり、或いは内蔵する記憶媒体に記憶された音楽データや映像データ
を再生したりする機能を合わせて有している装置もある（例えば、特許文献１参照）。
【０００３】
特許文献１には、電話を送受信する機能を備えた情報機器であって、電話受信検知信号
を録画開始信号として、電話の応対による中断要因に対して自動的に録画を開始し、中断
要因の終了後、録画を継続させながら続きの場面から視聴可能とする技術が開示されてい
る。
【特許文献１】特開平７−１３０１５０号公報
【発明の開示】
【発明が解決しようとする課題】
【０００４】
しかしながら、特許文献１記載の手法では、携帯電話機本体と映像信号に対する処理の
制御を行う装置とが同一装置内であるので、着呼は装置内で容易に検出することができる
。
【０００５】
一方、使い勝手や機能等の理由から、携帯電話機と、音楽データや映像データの再生を
行う再生装置とを別々に有しているユーザも多い。このような場合には、再生装置は電話
機側の着呼や発呼等を検出することはできない。よって、例えば着呼したときには、ポケ
ットから電話機を取り出して通話ボタンを押すと共に、再生装置の再生を停止するといっ
た各装置に対して其々操作する必要があり、ユーザの利便性が低かった。
【０００６】
そこで本発明は、電話機能を有する他の装置の状況に応じて再生制御を行うことのでき
る再生装置を提供することを目的とする。
【課題を解決するための手段】
【０００７】
上記目的を達成するために、請求項１記載の再生装置は、電話機能を有する第１の無線
通信装置と無線通信する再生装置であって、ＡＶ（Ａｕｄｉｏ／Ｖｉｓｕａｌ）データを
記憶する記憶部と、前記記憶部が記憶するＡＶデータを再生する再生部と、前記第１の無
線通信装置と無線通信し、前記第１の無線通信装置から電話機能に関する電話機能状態を
取得する無線通信部と、前記無線通信部で前記第１の無線通信装置の電話機能状態の変化
を検出した場合に、前記再生部による再生状態を変化させる制御部とを備えることを特徴
とする。
【０００８】
請求項９記載の再生装置は、電話機能を有する第１の無線通信装置と無線通信する無線
通信装置であって、放送波を受信するチューナ部と、前記チューナ部で放送波を受信して
得られるＡＶデータを再生する再生部と、前記チューナ部で放送波を受信して得られるＡ
Ｖデータを記憶媒体に記録する録画部と、前記第１の無線通信装置と無線通信し、前記第
１の無線通信装置から電話機能に関する電話機能状態を取得する無線通信部と、前記無線
通信部で前記第１の無線通信装置の電話機能状態の変化を検出した場合に、前記再生部に
再生を停止させると共に、前記録画部に記録を開始させる制御部とを特徴とする再生装置
。
【発明の効果】
【０００９】
本発明によれば、電話機能を有する他の装置の状況に応じて再生制御を行うことのでき
る再生装置を提供することができる。
【発明を実施するための最良の形態】
【００１０】
以下、本発明の再生装置について、図面を参照しながら説明する。
【実施例１】
【００１１】
図１に、本発明の実施例である無線通信システムの構成を示す。図１の無線通信システ
ム１は、再生装置１と、電話機能を有する無線通信装置である携帯電話機３と、同じく無
線通信装置であるワイヤレスヘッドフォン４とから構成される。
【００１２】
再生装置２は、携帯電話機３及びワイヤレスヘッドフォン２の両方と例えばＢｌｕｅｔ
ｏｏｔｈ等の近距離無線通信により通信する。この近距離無線通信はＢｌｕｅｔｏｏｔｈ
に限られるものではないが、以下Ｂｌｕｅｔｏｏｔｈであるものとして説明を行う。
【００１３】
また、第１の無線通信装置の実施例である携帯電話機３はユーザが携帯可能な装置とし
て記載しているが、これに限られるものではなく、電話機能を有する無線通信装置であれ
ば良い。
【００１４】
同様に、第２の無線通信装置の実施例であるワイヤレスヘッドフォン４であるものとし
て以下説明するが、再生装置２と無線接続可能な装置であれば、他の装置であっても良い
。また、再生装置２がワイヤレスヘッドフォン４との間で送受信するストリーミングデー
タは音声データである必要は無く、例えば映像データをストリーミングデータとして送信
するようにしても良い。
【００１５】
再生装置２は、記憶媒体を内部に有し、この記憶媒体に記録された音楽データや映像デ
ータといったＡＶデータを再生する機能を有する。また、テレビジョン放送を受信するチ
ューナを有し、放送波を受信して得られるテレビジョン放送データ（ＡＶデータ）を再生
する機能も持つ。
【００１６】
再生処理により得られる映像は、自身の持つ表示部２１に表示する。音楽データの再生
により得られる音声ストリーミングデータはＢｌｕｅｔｏｏｔｈにより送信され、ワイヤ
レスヘッドフォン２のスピーカから音声が出力される。再生装置２とヘッドフォン４との
間は、例えば音声信号はＡ２ＤＰ（Ａｄｖａｎｃｅｄ  Ａｕｄｉｏ  Ｄｉｓｔｒｉｂｕｔ
ｉｏｎ  Ｐｒｏｆｉｌｅ）に、音声データの再生や停止等を行うための制御信号をＡＶＲ
ＣＰ（Ａｕｄｉｏ／Ｖｉｄｅｏ  Ｒｅｍｏｔｅ  Ｃｏｎｔｒｏｌ  Ｐｒｏｆｉｌｅ）に基
づくＢｌｕｅｔｏｏｔｈ通信で通信することが考えられる。
【００１７】
また、再生装置２自体は電話機能や通話機能を持たないが、再生装置２は携帯電話機３
と例えばＨＦＰ（Ｈａｎｄｓ−Ｆｒｅｅ  Ｐｒｏｆｉｌｅ）に基づくＢｌｕｅｔｏｏｔｈ
通信により、携帯電話機３の電話機能状態の通知を受けるものとして以下説明する。しか
しながら、先述の通りＢｌｕｅｔｏｏｔｈ以外の他の通信方式を使用しても良いし、或い
はＢｌｕｅｔｏｏｔｈのＳＰＰ（Ｓｅｒｉａｌ  Ｐｏｒｔ  Ｐｒｏｆｉｌｅ）等で独自に
コマンドを定義し、使用しても良い。
【００１８】
図２は、再生装置２の構成を示す図である。再生装置２は、制御部２３と、記録部２４
と、バッテリ２５と、無線通信部２６と、音声出力部２７と、チューナ部２８と、復号化
／符号化部２９とから構成される。
【００１９】
再生装置２は、バッテリ２５により駆動し、制御部２３が記憶部２４に記録された動作
制御プログラム２４ａ、記録・再生制御プログラム２４ｂ、無線通信制御プログラム２４
ｃ、電話状態制御プログラム２４ｄ、その他図示しないプログラムを読み込んで実行する
ことにより動作する。
【００２０】
動作制御プログラム２４ａは、ユーザが操作部２２を操作して入力された操作信号に基
づき、各種制御を行う。
記録・再生制御プログラム２４ｂは、記録部２４に記録された音楽データ２４ｅや映像
データ２４ｆ、或いは、チューナ部２８で放送波を受信して得られるテレビジョン放送デ
ータを復号化／符号化部２９で復号し、映像データ２４ｆによる映像を表示部２１に表示
する。また、記録・再生制御プログラム２４ｂは、復号化／符号化部２９で先述のデータ
を符号化して得られるストリーミングデータをヘッドフォン４へ伝送し、ヘッドフォン４
に出力させる。しかしながら、例えばスピーカやイヤホン端子等である音声出力部２７か
ら、音声データ２４ｅを復号化／符号化部２９で復号して得られる音声を出力するように
しても良い。
【００２１】
また、記録・再生制御プログラム２４ｂは、チューナ部２８で受信したテレビジョン放
送データを、記録部２４に映像データ２４ｆとして記録する機能も持つ。
無線通信制御プログラム２４ｃが制御する無線通信部２６は、電話機能を有する携帯電
話機３、若しくは、付加的にヘッドフォン４と相互にＢｌｕｅｔｏｏｔｈ通信を行う。
【００２２】
ユーザが操作部２２や、ワイヤレスヘッドフォン４が有する操作部（図示せず）を操作
して携帯電話機３との無線接続を指示した場合や、動作制御プログラム２４ａにより、ユ
ーザからの指示が無くとも携帯電話機３と無線接続するよう予め設定されていた場合、無
線通信部２６は無線通信制御プログラム２４ｃによる制御の下、携帯電話機３との間でＨ
ＦＰに定められた方法で接続し、制御信号を双方向で通信可能な状態となる。
【００２３】
尚、ＨＦＰでは、着呼、発呼、通話開始、待機中等の電話機能状態（インジケータ）等
の情報を制御コマンドとして通信するためのサービスレベルコネクション（Ｓｅｒｖｉｃ
ｅ  Ｌｅｖｅｌ  Ｃｏｎｎｅｃｔｉｏｎ）と、通話音声の音声信号を通信するためのオー
ディオコネクション（Ａｕｄｉｏ  Ｃｏｎｎｅｃｔｉｏｎ）とが定義されているが、本実
施例の再生装置２は再生機能しか有しておらず、通話機能を有さないため、再生装置２が
携帯電話３との間のＨＦＰの接続では、オーディオコネクションを張る必要は無い。
【００２４】
但し、ヘッドフォン４が再生装置２を介して携帯電話機３での通話を行う場合には、オ
ーディオコネクションが必要となる。この場合、再生装置２はオーディオコネクションを
伴うＨＦＰによる接続をヘッドフォン４との間でも行う。
【００２５】
復号化／符号化部２９は、少なくとも１つの符号化方式に対応している。記録・再生制
御プログラム２４ｂによる制御の下、音楽データ２４ｅや映像データ２４ｆ等の復号化処
理を行うと共に、記憶部２４ｅへの録画時や、ヘッドフォン４へのストリーミングデータ
の送信時には、所定の符号化方式に符号化する処理を行う。
【００２６】
本実施例の再生装置２は、携帯電話機３の電話機能状態を取得するための電話状態制御
プログラム２４ｄを有し、携帯電話機３の電話機能状態である着信呼、発信呼、通話開始
、通話中、保留呼、通話終了のうち少なくとも１つの状態を取得可能である。
【００２７】
本実施例では、ＨＦＰにおける電話機状態（インジケータ）の取得コマンドや、網状態
の取得コマンドを使用するものとして以下説明を行うが、先述の通り、たとえばＳＰＰ等
で独自のコマンドを定義して取得するようにしても構わない。しかしながら本実施例では
ＨＦＰにより予め定められた制御コマンドを使用するため、汎用性が高く、より広い携帯
電話機３を使用することが可能となる。
【００２８】
ここで、携帯電話機３の電話機能の状態は、電話状態制御プログラム２４ｄが電話機能
状態を取得するための制御コマンドを送信しても良いし、携帯電話機３に通知させるよう
にしても良い。なお、ＨＦＰにおける標準的な手順では携帯電話機３側から通知させるよ
うに定められているため、より広い携帯電話機３を使用することが可能となる。
【００２９】
また電話状態制御プログラム２４ｄは、取得した電話機能状態に応じて再生装置１内で
実行する処理の内容を格納している。携帯電話機３の電話機能状態に応じた再生装置２の
処理の情報の例を、図３に挙げる。図３の例では、取得した携帯電話機３の電話機能の状
態と、再生装置１の状態及び実行する処理との組を、予めテーブルとして用意している。
【００３０】
図３に例を示した処理について、いくつか簡単に説明する。
例えば、映像データ２４ｅ又は映像データ２４ｆの再生中に、携帯電話機３での通話が
開始されたことを電話状態制御プログラム２４ｄが検出した場合には、記録・再生制御プ
ログラム２４ｂは電話状態制御プログラム２４ｄからの指示に基づき、再生を一時停止す
る。この後、例えば携帯電話３の終話を再生装置２が検出した場合には、一時停止を解除
し、再生を再開する。
【００３１】
或いは、記録・再生制御プログラムがチューナ部２８で受信したテレビジョン放送を再
生しているときに、携帯電話機３に着呼があったことを電話状態制御プログラム２４ｄが
検出した場合には、記録・再生制御プログラム２４ｂは電話状態制御プログラム２４ｄか
らの指示に基づき、表示部２１や音声出力部２７（ヘッドフォン４出会っても良い）への
出力を一時停止し、受信している放送の録画を開始する。
【００３２】
上述のように、電話機能を有さない再生装置２において、電話機能を有する携帯電話機
３の電話機能の状態を受動的又は能動的に知ることができる。収集した電話機能の状態の
変化に応じて、再生装置２の状況及び携帯電話機３の状況を鑑みた再生や録画制御を行う
ことで、電話機能を有さない再生装置２でも、電話機能の状態に連動して制御を行うこと
ができるようになる。
【００３３】
以下、本実施例における再生装置２の処理の流れを、図４を参照しながら説明する。図
４は、再生装置２の処理の流れを示すフローチャートである。尚、図４の例では再生装置
２が主導権を取って携帯電話機３の制御を行う方法を説明するが、携帯電話機３が主導権
を取って制御を行っても良い。
【００３４】
まず再生装置２は、ＢｌｕｅｔｏｏｔｈのＨＦＰに定められた手順で携帯電話機３との
間で無線接続を行う（Ｓ３０１）。本実施例では、再生装置２と携帯電話機３との間でＨ
ＦＰのサービスレベルコネクションを張ることになる。以下、これ以降は明示的に示した
場合以外は、無線接続は維持されるものとする。
【００３５】
次に、携帯電話機３から電話機能状態が通知されたかどうかを確認する（Ｓ３０２）。
ここで電話機能状態が通知されていない場合には（Ｓ３０２のＮｏ）、電話状態制御プロ
グラム２４ｄは電話機能の状態を取得する取得要求の制御コマンドを送信することにより
、携帯電話機３から電話機能状態を取得する（Ｓ３０３）。
【００３６】
携帯電話機３から電話機能状態を得ると（Ｓ３０２のＹｅｓ又はＳ３０３）、当該電話
機能の状態が前回取得時から変化しているかどうかを確認する（Ｓ３０４）。尚Ｓ３０１
による最初の無線接続後、最初のＳ３０４の判断では、電話機能状態は常に変化している
もの（即ちＳ３０４のＹｅｓ）として取り扱えばよい。
【００３７】
取得した電話機能の状態が前回から変化していない場合には（Ｓ３０４のＮｏ）、Ｓ３
０２に戻って処理を繰り返す。取得した電話機能の状態が前回から変化している場合には
（Ｓ３０４のＹｅｓ）、再生装置２自身の記録・再生制御プログラム２４ｂによる再生状
態の確認を行う（Ｓ３０５）。さらに、電話状態制御プログラム２４ｄは、携帯電話機３
から取得した電話機能の状態、及び記録・再生制御プログラム２４ｂの状態に応じて、図
３の例のように予め定められた処理内容（動作設定）を取得する（Ｓ３０６）。
【００３８】
次にＳ３０６で、携帯電話機３から取得した電話機能の状態、及び記録・再生制御プロ
グラム２４ｂの状態に応じた処理を取得することができたか否かを判断する（Ｓ３０７）
。もし、対応する条件の処理が設定されていなかった場合には（Ｓ３０７のＮｏ）、Ｓ３
０２に戻り、処理を繰り返す。
【００３９】
Ｓ３０６で、対応する条件の処理が設定されていた場合には（Ｓ３０７のＹｅｓ）、当
該処理内容に基づいた処理を行うべく、Ｓ３０８以降の処理を行なう。
まず、Ｓ３０６で取得した処理内容は、ヘッドフォン４に対する制御が必要であるか否
かを確認する（Ｓ３０８）。もし処理内容がヘッドフォン４の制御を必要とする内容であ
った場合（Ｓ３０８のＹｅｓ）には、Ｂｌｕｅｔｏｏｔｈ等の無線接続によりヘッドフォ
ン４に対する制御信号等を送信する。図３の例では、「ヘッドフォンに着信を通知、再生
を継続」に関するヘッドフォン４への着信の通知や、及び「再生を一時停止し、携帯電話
機に対し受話要求を送信すると共に携帯電話機とヘッドフォンとの間で通話可能状態とす
る」ための携帯電話機３とヘッドフォン４との間の接続要求、及びヘッドフォン４との間
の接続の切断処理等がＳ３０９での処理に該当する。
【００４０】
この後、記録・再生制御プログラム２４ｂは、Ｓ３０６で取得した処理内容を実行する
（Ｓ３１０）。図３の例であれば、例えば、再生の一時停止、再生の再開、録画の開始、
録画開始位置からの再生などの処理である。この他、再生の停止や再生の開始などの再生
処理を考えることもできる。
【００４１】
処理内容の実行が完了した後、無線切断や機能停止が指示されていないかどうかを確認
する（Ｓ３１１）。もし無線切断又は機能停止が指示されている場合には（Ｓ３１１のＹ
ｅｓ）処理を終了し、どちらの条件にも当てはまらない場合には（Ｓ３１１のＮｏ）、Ｓ
２へ戻り、処理を繰り返す。
【００４２】
以上説明したように、本実施例によれば、携帯電話機３等の電話機能を有する他の無線
通信装置から無線通信によりその電話機能の状態を取得し、電話機能状態が変化した場合
には、電話機能状態と再生装置の状態との組み合わせに基づき、記録・再生制御プログラ
ム２４ｃの処理を変化させる。これにより、電話機能を有さない再生装置２でも、近傍に
存在する電話機能を有する装置の電話機能の状態に連動した制御を実行することができる
。
【００４３】
例えば、ユーザが再生装置２でテレビ放送を視聴中に、徐に携帯電話機３を手にとって
電話の発信を行った場合でも、ユーザは再生装置２への操作は不要であり、携帯電話機３
の状態に応じ、例えば視聴していた番組を自動的に録画する等の処理が実行されるため、
ユーザの利便性を向上させることができる。
【００４４】
また、電話機能を有する携帯電話機３と、再生処理を行う再生装置２とが独立に動作す
る別々の装置に実装されているため、同一機器内に実装する場合に必要となる複雑な排他
制御等をする必要はなく、ユーザの利便性向上につながる。
【図面の簡単な説明】
【００４５】
【図１】本発明の実施例１に係る再生装置が使用される無線通信システムの構成を示す図。
【図２】本発明の実施例１に係る再生装置の構成を示す図。
【図３】本発明の実施例１に係る再生装置が行う処理内容を示す図。
【図４】本発明の実施例１に係る再生装置の処理の流れを示すフローチャート。
【符号の説明】
【００４６】
１・・・無線通信システム
２・・・再生装置
３・・・携帯電話機
４・・・ヘッドフォン
２１・・・表示部
２２・・・操作部
２３・・・制御部
２４・・・記憶部
２４ａ・・・動作制御プログラム
２４ｂ・・・記録・再生制御プログラム
２４ｃ・・・無線通信制御プログラム
２４ｄ・・・電話状態制御プログラム
２４ｅ・・・音楽データ
２４ｆ・・・映像データ
２５・・・バッテリ
２６・・・無線通信部
２７・・・音声出力部
【図１】
2008092210.tif 000003
【図２】
2008092210.tif 000004
【図３】
2008092210.tif 000005
【図４】
2008092210.tif 000006